(57)【特許請求の範囲】
【請求項１】
複数の収納部を有するハウジングと、前記収納部に配設された複数の固定接点と、この固定接点と接離する可動接点を保持し、前記収納部に昇降可能に配設された複数のスライド部材と、前記固定接点から導出され、前記ハウジングの外方へ突出された複数の接続端子とを備え、前記ハウジングには、複数の前記収納部同士を連結させる連結溝部を形成し、複数の前記固定接点及び接続端子は、単一のウエハーに一体に固着されると共に、同一平面上に並設されており、複数の前記固定接点は導電性の金属板からなり、前記可動接点が接離する接触面が前記ウエハーの表面よりも内側に位置し、該位置から前記表面に表出されており、前記ウエハーが、前記ハウジングの前記連結溝部に係合されることにより、複数の前記固定接点を前記収納部内に配設したことを特徴とするスイッチ装置。
【請求項２】
前記ハウジングの前記連結溝部は、前記スライド部材の昇降方向に対して直交する方向に形成されると共に、前記連結溝部に係合されるウエハーの前記固定接点は、前記スライド部材の昇降方向に対して直交する方向が接触面となるように、前記収納部の内底部に配置され、前記可動接点及び前記固定接点を、前記スライド部材の昇降方向に沿って配置したことを特徴とする請求項１記載のスイッチ装置。
【請求項３】
前記スライド部材には、前記可動接点を保持する保持部を形成し、この保持部に前記可動接点を前記固定接点の接触面に対して斜めに傾いた状態で保持するようにしたことを特徴とする請求項２記載のスイッチ装置。
【請求項４】
前記可動接点には、前記固定接点の接触面と対向する面に凸状の突起部と、チップ状の接点部を形成し、前記スライド部材の昇降動作時には、最初に前記突起部が前記固定接点の接触面と当接し、後に前記接点部が前記固定接点の接触面と当接するようにしたことを特徴とする請求項３記載のスイッチ装置。
【請求項５】
前記スライド部材の保持部には、前記可動接点を前記固定接点の接触面と当接する方向へ付勢するばね部材を設け、このばね部材を鼓形状をしたコイルばねで形成したことを特徴とする請求項３、又は４記載のスイッチ装置。
【発明の詳細な説明】
【０００１】
【発明の属する技術分野】
本発明は、換気扇の風量切り換えなどの電源スイッチとして使用される多連のスイッチ装置の回路部の構造に関する。
【０００２】
【従来の技術】
従来の換気扇の風量切り換えなどに使用される電源スイッチとしては、複数の押釦を有する連動タイプの押釦スイッチが主に使用されている。これらの押釦を選択して押し込むことで、例えば、オフ（リセット)、開（扉の拡開）、弱風、中風、強風などのそれぞれの機能の切り換えが可能と成っている。
この従来の多連押釦スイッチは、それぞれの押釦毎に独立したスイッチ回路部が形成されており、このスイッチ回路部毎に外部接続端子が設けられて、この外部接続端子に電源や換気扇などへの配線用のコネクタがそれぞれ接続されるものとなっている。
【０００３】
この従来のスイッチ装置の構造としては、合成樹脂などの絶縁材で略箱形に形成され、複数の収納部が形成されたハウジングと、同じく合成樹脂などの絶縁材で形成され、前記収納部のそれぞれに昇降可能に配設されたスライド部材と、このスライド部材に保持された導電性の金属材からなる可動接点と、同じく導電性の金属材から成り、前記収納部に配設されて前記可動接点と摺接して可動接点と接離することにより回路の切り換えを行う固定接点と、連動動作時に押し込み位置にあるスライド部材を初期位置に復帰させる復帰ばねと、スライド部材を連動動作させる連動カムとから主に構成されている。
【０００４】
前記スイッチ回路部の構成としては、前記ハウジングの収納部に配設されている前記固定接点は、前記スライド部材の昇降方向に沿って接触面が配置されており、また、前記固定接点と摺接する前記可動接点も、前記固定接点の接触面と摺接するように前記スライド部材に保持されたものとなっている。すなわち、前記スライド部材の昇降方向に沿って接点部が摺接するように構成されていた。
【０００５】
【発明が解決しようとする課題】
しかしながら、上述した従来のスイッチ装置の構造においては、それぞれの押釦毎に独立したスイッチ回路部が形成されており、このスイッチ回路部毎に外部接続端子が設けられて、この外部接続端子に電源や換気扇などへの配線用のコネクタがそれぞれ接続されていることから、コネクタが一つ一つのスイッチ回路毎に必要となるため、装着時の作業性が悪いという問題があった。
【０００６】
また、前記スイッチ回路部は、前記固定接点が前記スライド部材の昇降方向に沿って接触面が配置されており、前記固定接点と摺接する前記可動接点も、前記固定接点の接触面と摺接するように前記スライド部材の昇降方向に沿って接点部が摺接するように形成されていることから、スライド部材の操作（昇降）方向に一定の摺接距離が必要なため、ハウジングの奥行き寸法が大きくなり、小型化が困難であるという問題があった。
【０００７】
したがって、本発明では上述した問題点を解決し、複数の押釦を有する連動タイプのスイッチ装置の外部接続端子を単一のコネクタで接続できると共に、接点部の接触信頼性を確保しながらスイッチの小型化が図れる多連のスイッチ装置の構造を提供することを目的とする。
【０００８】
【課題を解決するための手段】
上記課題を解決するために本発明では第１の手段として、複数の収納部を有するハウジングと、前記収納部に配設された複数の固定接点と、この固定接点と接離する可動接点を保持し、前記収納部に昇降可能に配設された複数のスライド部材と、前記固定接点から導出され、前記ハウジングの外方へ突出された複数の接続端子とを備え、前記ハウジングには、複数の前記収納部同士を連結させる連結溝部を形成し、複数の前記固定接点及び接続端子は、単一のウエハーに一体に固着されると共に、同一平面上に並設されており、複数の前記固定接点は導電性の金属板からなり、前記可動接点が接離する接触面が前記ウエハーの表面よりも内側に位置し、該位置から前記表面に表出されており、前記ウエハーが、前記ハウジングの前記連結溝部に係合されることにより、複数の前記固定接点を前記収納部内に配設したことを特徴とする。
【０００９】
また、第２の手段として、前記ハウジングの前記連結溝部は、前記スライド部材の昇降方向に対して直交する方向に形成されると共に、前記連結溝部に係合されるウエハーの前記固定接点は、前記スライド部材の昇降方向に対して直交する方向が接触面となるように、前記収納部の内底部に配置され、前記可動接点及び前記固定接点を、前記スライド部材の昇降方向に沿って配置したことを特徴とする。
【００１０】
また、第３の手段として、前記スライド部材には、前記可動接点を保持する保持部を形成し、この保持部に前記可動接点を前記固定接点の接触面に対して斜めに傾いた状態で保持するようにしたことを特徴とする。
【００１１】
また、第４の手段として、前記可動接点には、前記固定接点の接触面と対向する面に凸状の突起部と、チップ状の接点部を形成し、前記スライド部材の昇降動作時には、最初に前記突起部が前記固定接点の接触面と当接し、後に前記接点部が前記固定接点の接触面と当接するようにしたことを特徴とする。
【００１２】
また、第５の手段として、前記スライド部材の保持部には、前記可動接点を前記固定接点の接触面と当接する方向へ付勢するばね部材を設け、このばね部材を鼓形状をしたコイルばねで形成したことを特徴とする。
【００１３】
【発明の実施の形態】
以下、本発明のスイッチ装置の１実施例を図１乃至図８に示す。図１はスイッチ装置のカバーを外した状態を示す正面図、図２はウエハーの平面図、図３は同じく正面図、図４はスライド部材の初期位置における接点部の離間状態を示す説明図、図５はスライド部材が押圧され可動接点の突起部が固定端子と当接した状態を示す説明図、図６はスライド部材がロックされて可動接点と固定接点とが接続された状態を示す説明図、図７はスライド部材にばね部材を介して可動接点が保持された状態を示す正面図、図８は同じく断面図である。
【００１４】
図において、ハウジング１は、合成樹脂などの絶縁材で略方形状の箱型に形成されている。このハウジング１には、それぞれの間が隔壁１ａで分離された複数の収納部１ｂが設けられており、この収納部１ｂに、後述するスライド部材５が摺動（昇降）可能に配設されるものとなっている。また、前記収納部１ｂの一端側には、スライド部材５が外方へ突出する開口部１ｃが設けられており、この開口部１ｃの中央には、後述するスライド部材５を復帰位置に付勢する復帰ばね６が係止される復帰ばね係止部１ｄが形成されている。
【００１５】
また、この開口部１ｃと対向する他端側には、それぞれの前記収納部１ｂ同士を連結する直線状の連結溝部１ｅが形成されている。この連結溝部１ｅは、前記収納部１ｂの内底部側に形成されており、この連結溝部１ｅに後述する複数の固定接点３が固着されたウエハー２を係合することにより、複数の固定接点３が前記収納部１ｂ内に配設されるものとなっている。
【００１６】
また、前記ハウジング１には、後述するスライド部材５の連動動作を行うための後述する連動カム１０及び連動ばね１１を保持する連動カム係止溝１ｆ及び連動ばね係止部１ｇとが形成されており、更には、スライド部材５の相互間の同時ロックを防止するための同時ロック防止カム係止溝１ｈが形成されている。前記連動カム係止溝１ｆ及び同時ロック防止カム係止溝１ｈは、前記隔壁１ａに形成されており、連動カム１０と同時ロック防止カム１２は前記連動カム係止溝１ｆ及び同時ロック防止カム係止溝１ｈを介してそれぞれの前記収納部１ｂ内に配設されるものとなっている。
【００１７】
また、前記ハウジング１の背面側中央には、外部接続用のコネクタを接続するための方形状に突出したホルダ部１ｉが形成されている。また、このホルダ部１ｉと前記連結溝部１ｅとは前記ハウジング１内で連結されており、前記連結溝部１ｅに係合される後述するウエハー２に固着された複数の固定接点３から導出する接続端子４が、前記ホルダ部１ｉ内に突出されて配設されるものとなっている。
【００１８】
また、前記ハウジング１の長手方向の両端部には、取付腕部１ｊが延出されて形成されており、この取付腕部１ｊをネジ止めすることにより機器のシャーシや取付板などに取り付けられるものとなっている。また、前記ハウジング１の上面部及び下面部には、複数の係合突起１ｋが設けられており、後述するカバー部材１４がこの係合突起１ｋと係合されて前記収納部１ｂの開口を覆うように取り付けられるものとなっている。
【００１９】
ウエハー２は、合成樹脂などの絶縁材で略方形の平板状に形成されており、このウエハー２内部には、導電性の金属板からなる複数の固定接点３がインサート成形などで一体に成形されて配設されている。この固定接点３は、前記ウエハー２の表面側にそれぞれの接触面を表出させた状態で同一平面上に並設されたものとなっている。また、前記固定接点３は、前記ウエハー２内部で電気的に導通されている共通接点３ａと、それぞれ電気的に絶縁されている個別接点３ｂとが対向された状態で複数個所に設けられている。また、前記ウエハー２の中央の一側面側には、前記固定接点３から導出された接続端子４が、ほぼ中央に集められて前記固定接点３と同じく同一平面上に突出して配設されたものとなっている。
【００２０】
前記ウエハー２は、前記ハウジング１の前記連結溝部１ｅに係合されることにより、複数の前記固定接点３が前記収納部１ｂ内に配設されるものとなる。また、前記ハウジング１の前記連結溝部１ｅは、後述するスライド部材５の摺動（昇降）方向に対して直交する方向に形成されていることから、前記連結溝部１ｅに係合される前記ウエハー２の前記固定接点３の接触面も、スライド部材５の摺動（昇降）方向に対して直交する方向に前記収納部１ｂの内底部に配置されるものとなっている。
【００２１】
この場合、複数の前記固定接点３及び接続端子４は、単一の前記ウエハー２に一体に固着されて、同一平面上に並設されており、前記ウエハー２が、前記ハウジング１の前記連結溝部１ｅに係合されることにより、複数の前記固定接点３を前記収納部１ｂ内に配設して前記接続端子４を中央に集めて配置したことから、前記接続端子４に電源や換気扇などへの配線用のコネクタを装着する場合に一つでよいため、装着時の作業性が向上されるものとなる。
【００２２】
また、前記連結溝部１ｅに係合される前記ウエハー２の前記固定接点３の接触面も、スライド部材５の摺動（昇降）方向に対して直交する方向に前記収納部１ｂの内底部に配置したことから、後述する可動接点９と前記固定接点３を、スライド部材５の昇降方向に沿って配置できるため、前記ハウジング１の奥行き寸法を小さくでき、スイッチの小型化が図れるものとなっている。
【００２３】
スライド部材５は、合成樹脂などの絶縁材で形成されており、前記ハウジング１の収納部１ｂに摺動可能に配設されている。このスライド部材５には、前記ハウジング１の開口部１ｃから突出されて押圧操作される操作部５ａと、この操作部５ａを突出する方向へ付勢する巻線状のコイルばねからなる復帰ばね６を収容する復帰ばね収容部５ｂとが形成されており、また、後述する連動動作時の連動カム１０や単動動作時の単動ピン７及び後述する同時ロック防止カム１２などと協同してそれぞれの動作を行うカム形成部５ｃと、後述する可動接点９を保持する可動接点保持部５ｄとがそれぞれ形成されている。
【００２４】
前記カム形成部５ｃの一面側には、ハート型のカム溝を有する単動動作用のハートカム５ｅが設けられており、このハートカム５ｅが形成された面の反対側の他面側には連動動作用のカム突部５ｆが形成されている。また、前記ハートカム５ｅの下端側には同時ロック防止カム１２に当接する一対の対向した傾斜面を有する規制突部５ｇが形成されている。
【００２５】
前記可動接点保持部５ｄの天面側には、後述する可動接点９を前記固定接点３方向へ付勢するばね部材８を保持するばね部材係止部５ｈが形成されており、また、底面側には、傾斜面からなる可動接点受け部５ｉが形成されている。また、前記可動接点保持部５ｄに保持される前記ばね部材８は、巻線状のコイルばねから成り、両端の座巻部の径に対して中央部分の径が小さくなるような鼓状に形成されている。このため、前記可動接点保持部５ｄに保持された可動接点９は、前記可動接点受け部５ｉの傾斜面及び鼓状の前記ばね部材８によって、前記固定接点３の接触面に対して斜めに傾いた状態で保持されるようになっている。
【００２６】
可動接点９は、導電性の金属板からなり、略Ｕ字状に屈曲されて形成されており、この可動接点９の中央には前記ばね部材８の一端側が係止されるばね部材係止部９ａが設けられている。また、このばね部材係止部９ａの一端側には平行に突出する突出片９ｂが延設されており、この突出片９ｂ及びばね部材係止部９ａの裏面側、すなわち前記固定接点３の接触面と対向する面には、チップ状の接点部９ｃ及び凸状の突起部９ｄが形成されている。また、前記ばね部材係止部９ａの両側部には対向して屈曲された支持片９ｅが形成されており、この支持片９ｅの先端が前記可動接点受け部５ｉに保持されている。
【００２７】
この場合、前記可動接点９は、前記可動接点受け部５ｉの傾斜面及び鼓状の前記ばね部材８によって、前記固定接点３の接触面に対して斜めに傾いた状態で保持されるようになっていることから、前記スライド部材５の摺動（昇降）動作時には、最初に前記突起部９ｄが前記固定接点３の個別接点３ｂの接触面と当接し、その後に前記接点部９ｃが前記固定接点３の共通接点３ａの接触面と当接するようになっている。この時、前記ばね部材８は鼓形状をしたコイルばねを使用しているため、両端の前記ばね部材係止部５ｈ、９ａがお互いに斜めに傾いた場合でも、コイルばねの鼓の中央を支点としてコイルばねが湾曲し易くなっていることから、前記可動接点９の揺動を容易にして安定した接触が得られるものとなっている。
【００２８】
また、スイッチの接点部を切り換える場合には、チップ状の前記接点部９ｃが、必ず、後から前記固定接点３と当接するようになっていることから、切り換え時に発生するアークはいつも同じチップ状の前記接点部９ｃにかかることになり、最初に前記固定接点３と当接する前記可動接点９の突起部９ｄには電気的な負荷があまりかからず劣化も少ないため、貴金属などからなる高価なチップ状の接点部を使用しなくても良く、スイッチの接点部の廉価対応が可能となっている。
【００２９】
また、前記可動接点９は、前記固定接点３の接触面に対して斜めに傾いた状態で保持されていることから、前記可動接点９の接点部９ｃや突起部９ｄが、前記固定接点３の接触面と接触するときに、接触面を摺接しながら接触するため、接触面のセルフクリーニング効果が得られて接点部の接触信頼性が向上されるものとなる。
【００３０】
連動カム１０は、鋼板などの平板の金属材で長尺状に形成されている。この連動カム１０は、前記ハウジング１の連動カム係止溝１ｆに前記スライド部材５の摺動（昇降）方向に直交する方向に摺動可能に保持されており、この一端側が巻線状のコイルばねからなる連動ばね１１により付勢されて図示しない複数のカム部が前記スライド部材５の前記カム突部５ｆに押圧されて係止された状態となっている。
【００３１】
同時ロック防止カム１２は、合成樹脂などの絶縁材で長尺状の略方形に形成されており、その中央には台形状の規制部１２ａが形成されている。この同時ロック防止カム１２は複数の前記スライド部材５の各間に配置されるものとなっており、前記ハウジング１の同時ロック防止カム係止溝１ｈに前記スライド部材５の摺動（昇降）方向に直交する方向に摺動可能に保持されて、前記スライド部材５の規制突部５ｇによって押圧されることで左右方向へそれぞれ摺動可能に配設されている。また、前記同時ロック防止カム１２の下面側には後述する導体板１３を押圧する作動突起１２ｂが設けられている。
【００３２】
導体板１３は、ばね性を有する導電性の金属板で形成されており、一端側が前記ウエハー２の共通接点３ａに常時接続され、自由端側に固着された接点部１３ａが前記個別接点３ｂと対峙するように前記収納部１ｂ内に配設されている。この導体板１３は、前記同時ロック防止カム１２の移動に伴って前記作動突起１２ｂによって動作されるようになっている。
【００３３】
カバー部材１４は。合成樹脂などの絶縁材で略平板状に形成されており、このカバー部材１４の両側部には前記ハウジング１の係合突起１ｋに係合する係合孔を有するフック部（図示せず）が複数設けられている。前記カバー部材１４は、前記ハウジング１に形成された複数の前記収納部１ｂの開口部１ｃを覆うように前記ハウジング１に取り付けられるものとなっている。
【００３４】
次に、上述したスイッチ装置の動作を説明する。
図１において、右端の１キーが単動動作キーで照明などのランプの切り換えを行い、中央の３キーが連動動作キーで強中弱の風力の切り換えを行い、左端の１キーがリセットキーで連動動作キーのロックの解除を行う構成となっている。
【００３５】
まず、単動動作時には、単動動作キーの前記操作部５ａを押圧することにより、前記単動ピン７が前記ハートカム５ｅのカム溝内を摺動し、前記スライド部材５がロック位置でロックされる。この時、前記可動接点９が前記固定接点３と接続されて回路がオン状態となる。ロックを解除するには、再度、前記操作部５ａを押圧することにより、前記ハートカム５ｅのロックが解除されて、前記スライド部材５が初期位置に復帰することで回路がオフとなる。
【００３６】
次に、連動動作時には、連動動作キーのどれか一つを押圧すると、前記スライド部材５に形成されたカム突部５ｆが前記連動カム１０のカム部を押圧することで、前記連動カム１０が押圧方向と直交する方向へ摺動され、前記連動ばね１１の付勢力により前記カム突部５ｆに係合してロックされる。この時、前記可動接点９が前記固定接点３と接続されて回路がオン状態となる。この状態から、風力を変えるために他の連動動作キーを押圧すると、押圧されたキーの前記スライド部材５のカム突部５ｆによって前記連動カム１０が押圧されて摺動することにより、ロックしていた前記スライド部材５のカム突部５ｆが外れ、ロックが解除されて回路がオフとなる。この時、押圧された連動動作キーが新たにロックされて、回路がオン状態となる。
【００３７】
この場合に、押圧された連動動作キーの前記スライド部材５に形成された規制突部５ｇによって前記同時ロック防止カム１２が押圧され左右方向へそれぞれ摺動することで、他の連動動作キーの同時ロック（２つ以上のキーを同時にロック状態に保持すること）を防止することができるものとなっている。
また、風力切り換え用の連動動作キーを押圧することで、前記同時ロック防止カム１２が摺動され、この時、同時ロック防止カム１２に形成された前記作動突起１２ｂが前記ハウジングの収納部１ｂ内に配設された前記導体板１３を押圧して回路がオンすることにより換気扇の扉が開放されるものとなっている。
【００３８】
次に、連動動作キーを全て解除する時には、リセットキーを押圧することにより、リセットキーの前記スライド部材５のカム突部５ｆによって前記連動カム１０が押圧されて摺動することにより、ロックしていた連動動作キーの前記スライド部材５のカム突部５ｆが外れ、ロックが解除されて回路がオフとなる。この場合、リセットキーにはロック用のカム突部を設けないようにしてあることから、リセットキーの押圧を止めればリセットキーは初期位置に復帰するものとなっている。
【００３９】
次に、前記可動接点９と前記固定接点３との接続状態を図４乃至図６に基づいて説明する。
まず、初期状態を図４に示す。この状態では、前記可動接点９はチップ状の接点部９ｃと突起部９ｄが、前記固定接点３の接触面に対して斜めに傾いた状態で前記スライド部材５の可動接点保持部５ｄに保持されている。
【００４０】
次に、前記スライド部材５の操作部５ａを押圧すると、まず、前記可動接点９の突起部９ｄが前記固定接点３の個別接点３ｂと接触される。この時、前記可動接点９のチップ状の接点部９ｃと前記固定接点３の共通接点３ａとは離間されているため回路なオフ状態となっている。（図５）
【００４１】
更に、前記スライド部材５の操作部５ａを押圧すると、前記可動接点９を付勢している鼓状の前記ばね部材８の鼓の中央を支点としてばね部材８が湾曲し易くなっていることから、前記可動接点９が揺動して前記チップ状の接点部９ｃが前記共通接点３ａと接触して回路がオン状態となる。（図６）
【００４２】
この場合、前記可動接点９の突起部９ｄと前記固定接点３の個別接点３ｂとは既に接触状態となっていることから、接点切り換え時のアークの発生は前記チップ状の接点部９ｃ側に起こるため、このチップ状の接点部９ｃ側のみに貴金属などの電気的耐久性の高い材料を使用することで、前記突起部９ｄ側の廉価対応を可能にしている。
また、切り換え時に前記可動接点９が前記固定接点３上を揺動して摺接することから、セルフクリーニング効果が得られ、接触の信頼性が向上されるものとなっている。
【００４３】
【発明の効果】
以上説明したように、本発明のスイッチ装置の構造は、複数の収納部を有するハウジングに収納部同士を連結させる連結溝部を形成し、複数の収納部に配設される複数の固定接点及び接続端子を単一のウエハーに一体に固着すると共に同一平面上に並設し、このウエハーをハウジングの連結溝部に係合することにより、複数の固定接点を収納部内に配設したことから、接続端子を中央に集めて配置することが可能となり、接続端子に電源や換気扇などへの配線用のコネクタを装着する場合に一つのコネクタでよいため、装着時の作業性の向上が図れる。
【００４４】
また、ハウジングの連結溝部は、スライド部材の昇降方向に対して直交する方向に形成されると共に、連結溝部に係合されるウエハーの固定接点は、スライド部材の昇降方向に対して直交する方向が接触面となるように、収納部の内底部に配置され、可動接点及び固定接点を、スライド部材の昇降方向に沿って配置したことから、スライド部材の昇降方向に沿って接点部が摺接し、スライド部材の昇降方向に一定の摺接距離を必要としないため、ハウジングの奥行き寸法を小さくでき、スイッチの小型化が可能となる。
【００４５】
また、スライド部材には、可動接点を保持する保持部を形成し、この保持部に可動接点を固定接点の接触面に対して斜めに傾いた状態で保持するようにしたことから、可動接点の接点部や突起部が、固定接点の接触面と接触するときに、接触面を摺接しながら接触するため、接触面のセルフクリーニング効果が得られて接点部の接触信頼性の向上が図れる。
【００４６】
また、可動接点には、固定接点の接触面と対向する面に凸状の突起部と、チップ状の接点部を形成し、スライド部材の昇降動作時には、最初に突起部が固定接点の接触面と当接し、後に接点部が固定接点の接触面と当接するようにしたことから、切り換え時に発生するアークはいつも同じチップ状の接点部にかかることになり、最初に固定接点と当接する突起部には電気的な負荷があまりかからず劣化も少ないため、貴金属などからなる高価なチップ状の接点部を使用しなくても良く、スイッチの接点部の廉価対応が可能となる。
【００４７】
また、スライド部材の保持部には、可動接点を固定接点の接触面と当接する方向へ付勢するばね部材を設け、このばね部材を鼓形状をしたコイルばねで形成したことから、両端のばね部材係止部がお互いに斜めに傾いた場合でも、コイルばねの鼓の中央を支点としてコイルばねが湾曲し易くなっていることから、可動接点の揺動を容易にして安定した接触が得られる。
【図面の簡単な説明】
【図１】本発明の１実施例であるスイッチ装置のカバーを外した状態を示す正面図である。
【図２】本発明の同じくウエハーを示す平面図である。
【図３】本発明の同じくウエハーを示す正面図である。
【図４】本発明の同じくスライド部材の初期位置における接点部の離間状態を示す説明図である。
【図５】本発明の同じくスライド部材が押圧され可動接点の突起部が固定端子と当接した状態を示す説明図である。
【図６】本発明の同じくスライド部材がロックされて可動接点と固定接点とが接続された状態を示す説明図である。
【図７】本発明の同じくスライド部材にばね部材を介して可動接点が保持された状態を示す正面図である。
【図８】本発明の同じくスライド部材にばね部材を介して可動接点が保持された状態を示す断面図である。
【符号の説明】
１  ハウジング
１ａ  隔壁
１ｂ  収納部
１ｃ  開口部
１ｄ  復帰ばね係止部
１ｅ  連結溝部
１ｆ  連動カム係止溝
１ｇ  連動ばね係止部
１ｈ  同時ロック防止カム係止溝
１ｉ  ホルダ部
１ｊ  取付腕部
１ｋ  係合突起
２  ウエハー
３  固定接点
３ａ  共通接点
３ｂ  個別接点
４  接続端子
５  スライド部材
５ａ  操作部
５ｂ  復帰ばね収容部
５ｃ  カム形成部
５ｄ  可動接点保持部（保持部）
５ｅ  ハートカム
５ｆ  カム突部
５ｇ  規制突部
５ｈ  ばね部材係止部
５ｉ  可動接点受け部
６  復帰ばね
７  単動ピン
８  ばね部材
９  可動接点
９ａ  ばね部材係止部
９ｂ  突出片
９ｃ  チップ状接点部
９ｄ  突起部
９ｅ  支持片
１０  連動カム
１１  連動ばね
１２  同時ロック防止カム
１２ａ  規制部
１２ｂ  作動突起
１３  導体板
１３ａ  接点部
１４  カバー部材
【図１】
0004087552.tif 000002
【図２】
0004087552.tif 000003
【図３】
0004087552.tif 000004
【図４】
0004087552.tif 000005
【図５】
0004087552.tif 000006
【図６】
0004087552.tif 000007
【図７】
0004087552.tif 000008
【図８】
0004087552.tif 000009